(57)【要約】【課題】ＡＦエリアモードを切替えることで多様なＡＦエリアの選択を行うことができ、フレーミングの自由度を大きくすること。【解決手段】各ＡＦエリアの大きさが所定の標準サイズである標準ＡＦエリアモードと、各ＡＦエリアの大きさが標準ＡＦエリアモードよりも小さい小ＡＦエリアモードとを選択可能とし、かつ小ＡＦエリアモードは、標準ＡＦエリアモードよりもＡＦエリア数を多く設定して成る。【選択図】図５Ｂ
2010134277.tif 000002
【特許請求の範囲】
【請求項１】
撮影画面内に形成される複数のＡＦエリアを有し、これらＡＦエリアに基づいて焦点調節を行う自動焦点調節装置において、
前記各ＡＦエリアの大きさが所定の標準サイズである第１のＡＦエリアモードと、前記各ＡＦエリアの大きさが前記第１のＡＦエリアモードよりも小さい第２のＡＦエリアモードとを選択可能とし、かつ前記第２のＡＦエリアモードは、前記第１のＡＦエリアモードよりも前記ＡＦエリア数を多く設定して成ることを特徴とする自動焦点調節装置。
【請求項２】
前記第２のＡＦエリアモードは、当該第１のＡＦエリアモードの前記各ＡＦエリアを複数に分割して形成されることを特徴とする請求項１に記載の自動焦点調節装置。
【請求項３】
前記第１のＡＦエリアモードの前記各ＡＦエリアは、ライン状の検出素子列を複数クロスさせて成るセンサにより形成され、
前記第２のＡＦエリアモードの前記各ＡＦエリアは、ライン状の検出素子列を少なくとも１ラインクロスさせて成るセンサにより形成される、
ことを特徴とする請求項１に記載の自動焦点調節装置。
【請求項４】
前記第１と前記第２とのＡＦエリアモードの前記各ＡＦエリアは、任意選択可能であることを特徴とすることを特徴とする請求項１に記載の自動焦点調節装置。
【請求項５】
前記撮影画面内に形成される任意に選択不可能である補助的なＡＦエリアを有し、
前記補助的なＡＦエリアは、前記第１のＡＦエリアモードにおいて任意に選択不可であり、前記第２のＡＦエリアモードにおいて任意に選択可能である、
ことを特徴とする請求項１に記載の自動焦点調節装置。
【請求項６】
前記選択された前記ＡＦエリアを表示する表示手段を有し、
前記表示手段は、複数の表示素子から成り、前記第１のＡＦエリアモード時に前記ＡＦエリアが選択されると前記複数の表示素子を同時に点灯し、前記第２のＡＦエリアモード時に前記ＡＦエリアが選択されると前記複数の表示素子の中で一部の前記表示素子のみを点灯する、
ことを特徴とする請求項１に記載の自動焦点調節装置。
【請求項７】
前記ＡＦエリアを選択するための選択手段を有し、
前記選択手段は、選択操作を受けて、前記第１又は前記第２のＡＦエリアモードにおいて前記ＡＦエリアを任意に選択することが可能であると共に、前記ＡＦエリアが選択可能な状態のときに前記第１又は前記第２のＡＦエリアモードに切り換えると、当該前記第１又は前記第２のＡＦエリアモードに切り換えたときに選択されている前記ＡＦエリアが当該モード切り替え後において前記ＡＦエリアを選択するときの初期位置となることを特徴とする請求項１に記載の自動焦点調節装置。
【請求項８】
ライン状の検出素子列を少なくとも２ライン並設して成るアレイセンサを複数有し、これらアレイセンサをクロスさせて成るＡＦセンサを有し、
前記第１のＡＦエリアモードでは、前記２ラインの検出素子列を前記ＡＦエリアに含み、
前記第２のＡＦエリアモードでは、前記２ラインの検出素子列のうちいずれか一方の１ラインの検出素子列を前記ＡＦエリアに含む、
ことを特徴とする請求項１に記載の自動焦点調節装置。
【発明の詳細な説明】
【技術分野】
【０００１】
本発明は、特に、撮影画面内の複数の領域で焦点検出が可能なカメラの自動焦点調節装置に関する。
【背景技術】
【０００２】
従来から撮影時の構図の自由度を高くしたり、カメラを三脚等に固定した場合の主要被写体に対する焦点調節を容易に行えるようにするための自動焦点調節装置に関する技術が数多く提案されている。この技術は、例えば撮影画面内に複数の焦点検出エリア（以下、ＡＦエリアと称する）を配置し、これらＡＦエリアから焦点調節に利用するＡＦエリアを自動的に選択する自動選択モードと、撮影者がカメラ操作により任意のＡＦエリアを選択する手動選択モードとを有する。
【０００３】
このような焦点調節装置に関する技術は、一般的に、上記自動選択モードと上記手動選択モードとの２つのモードで選択対象となるＡＦエリアが同じである場合が多い。その中には例えば特許文献１に開示されているように自動選択モード時と手動選択モード時とで選択対象となるＡＦエリアが異なり、手動選択モード時は自動選択モード時の選択対象ＡＦエリアの一部を選択対象とするような自動焦点調節装置も提案されている。
【特許文献１】特開平４−３３１９０８号公報
【発明の開示】
【発明が解決しようとする課題】
【０００４】
しかしながら、手動選択モード時における選択対象となるＡＦエリアの大きさが自動選択モード時におけるＡＦエリアの大きさと同じであったり又は小さい場合がある。このような場合、例えば人物を撮影する際に被写体の鼻部位ではなく目部位にピントを合わせたいが、目部位と鼻部位との両方が一つのＡＦエリアに含まれてしまったり、目部位の位置に選択可能なＡＦエリアが無いことで、撮像する構図の変更を余儀なくされてしまう等、選択対象となるＡＦエリアの大きさの都合により撮像する構図を決定するときのフレーミングに制限が生じてしまうという問題があった。
【０００５】
本発明の目的は、上記問題を解決し、ＡＦエリアモードを切替えることで多様なＡＦエリアの選択を行うことができ、フレーミング自由度の大きいカメラの自動焦点調節装置の提供することにある。
【課題を解決するための手段】
【０００６】
本発明の主要な局面に係る自動焦点調節装置は、撮影画面内に形成される複数のＡＦエリアを有し、これらＡＦエリアに基づいて焦点調節を行う自動焦点調節装置において、各ＡＦエリアの大きさが所定の標準サイズである第１のＡＦエリアモードと、各ＡＦエリアの大きさが第１のＡＦエリアモードよりも小さい第２のＡＦエリアモードとを選択可能とし、かつ第２のＡＦエリアモードは、第１のＡＦエリアモードよりもＡＦエリア数を多く設定して成る。
【発明の効果】
【０００７】
本発明によれば、ＡＦエリアモードを切替えることで多様なＡＦエリアの選択を行うことができ、フレーミングの自由度を大きくすることができるカメラの自動焦点調節装置を提供できる。
【発明を実施するための最良の形態】
【０００８】
以下、本発明の第１の実施の形態について図面を参照して説明する。  
図１は自動焦点調節装置を搭載した一眼レフレックスカメラの概略構成図を示す。本カメラは、カメラ本体１００と、このカメラ本体１００に対して着脱可能に設けられた交換レンズ部１０１とから成る。このうち交換レンズ部１０１は、焦点調節レンズ１０２とズームレンズ１０３とを有する。焦点調節レンズ１０２は、光軸ｐと同一方向ａに移動駆動されて、当該交換レンズ部１０１の焦点状態を調節する。ズームレンズ１０３は、光軸ｐと同一方向ｂに移動駆動されて、当該交換レンズ部１０１の焦点距離を変更する。
【０００９】
一方、カメラ本体１００は、メインミラー１０４と、サブミラー１０５と、焦点検出光学系１０６と、焦点検出センサ（以下、ＡＦセンサと称する）１０７と、フォーカルプレンシャッタ１０８と、撮像素子１０９と、スクリーンマット１１０と、ファインダ光学系１１１と、接眼レンズ１１２とから成る。  
メインミラー１０４は、ハーフミラーから成り、被写体からの光束の一部を透過し、残りの一部を反射する。このメインミラー１０４は、露光時において、被写体からの全光束を撮像素子１０９の撮像面に伝達させるように矢印ｃ方向に回動可能である。
【００１０】
露光時以外において、メインミラー１０４を透過した被写体からの光束は、サブミラー１０５によって反射して焦点検出光学系１０６に導かれる。  
この焦点検出光学系１０６は、焦点検出のためのレンズなどで構成されており、サブミラー１０５で反射された光束をＡＦセンサ１０７に導く。なお、この焦点検出光学系１０６の詳しい構成については後に詳述する。
【００１１】
ＡＦセンサ１０７は、例えばフォトダイオードアレイから成るセンサである。このＡＦセンサ１０７は、複数のエリアでの焦点検出が可能である。このＡＦセンサ１０７は、複数のＡＦエリアに対応する複数のフォトダイオードアレイを有する。なお、ＡＦセンサ１０７の詳しい構成についても後に詳述する。
【００１２】
露光時に、メインミラー１０４は、交換レンズ部１０１の光軸ｐ上から退避する。これにより、被写体からの光束は、撮像素子１０９の撮像面に入射する。このとき、フォーカルプレンシャッタ１０８は、撮像素子１０９の撮像面に適切な量の光を与えるように開閉駆動制御される。撮像素子１０９は、デジタルスチルカメラの場合、ＣＣＤやＣＭＯＳセンサ等が用いられる。しかるに、フォーカルプレンシャッタ１０８が開放されたとき、被写体からの光束が撮像素子１０９の撮像面に入射する。
【００１３】
露光時以外、メインミラー１０４で反射された被写体からの光束は、ファインダ光学系１１１側に向かい、スクリーンマット１１０上に像を結ぶ。この像は、ファインダ光学系１１１を介して接眼レンズ１１２に入射する。撮影者は、接眼レンズ１１２を覗くことによって撮影範囲や被写体の焦点状態などを知ることができる。  
図２はファインダ内に表示されるＡＦエリアの概略図を示す。撮影者が接眼レンズ１１２から覗いた場合、ファインダ内には、ＡＦセンサ１０７の複数のＡＦエリアに対応したＡＦエリアマーク１１３が表示される。なお、同図２では例えば１１点の測距エリアを持つマルチＡＦの例を示す。
【００１４】
次に、焦点検出光学系１０６とＡＦセンサ１０７の構成について図３Ａ乃至図３Ｇを参照して詳しく説明する。  
図３Ａは焦点検出光学系１０６の構成図を示す。この焦点検出光学系１０６は、視野マスク１２０と、コンデンサレンズ１２１と、全反射ミラー１２２と、赤外カットフィルタ１２３と、セパレータ絞りマスク１２４と、セパレータレンズ１２５とから成る。なお、撮影レンズ１２６は、交換レンズ部１０１内の各レンズ群、例えば焦点調節レンズ１０２やズームレンズ１０３を合成した仮想的なレンズを撮影レンズ１２６として示す。なお、図３Ａ中の符号１２９は、撮像素子１０９と等価な距離にある一次結像面を示す。
【００１５】
視野マスク１２０は、サブミラー１０５で反射した光束を絞り込む。サブミラー１０５から導かれる複数の焦点検出領域の光束（図中の点線）を透過させるために、視野マスク１２０は、例えば図３Ｂの正面図に示すように開口部１２７が形成されている。  
コンデンサレンズ１２１は、視野マスク１２０を通過した光束を集光する。このコンデンサレンズ１２１は、視野マスク１２０の開口部１２７の位置に対応して配置される。  
全反射ミラー１２２は、コンデンサレンズ１２１により集光された光束を反射し、赤外カットフィルタ１２３を透過してセパレータ絞りマスク１２４の方向に導く。  
赤外カットフィルタ１２３は、焦点検出に有害な赤外光成分をカットするためのフィルタである。
【００１６】
セパレータ絞りマスク１２４は、赤外カットフィルタ１２３を透過した光束を絞る。このセパレータ絞りマスク１２４は、図３Ｃの正面図に示すように４つの開口部１２４ａ、１２４ｂ、１２４ｃ、１２４ｄが形成されている。これにより、セパレータ絞りマスク１２４は、コンデンサレンズ１２１を介して得られる光束を４つの光束に分割する。  
セパレータレンズ１２５は、セパレータ絞りマスク１２４により４つに分割された光束をＡＦセンサ１０７上に再結像する。このセパレータレンズ１２５は、図３Ｄの正面図に示すように４つのセパレータレンズ１２５ａ、１２５ｂ、１２５ｃ、１２５ｄで構成される。
【００１７】
ＡＦセンサ１０７は、受光光束の光強度分布に対応した光強度信号を出力する光電変換素子列から成る。このＡＦセンサ１０７は、図３Ｅの正面図に示すように４つフォトダイオードアレイ部１０７ａ、１０７ｂ、１０７ｃ、１０７ｄから成る。このうち２つのフォトダイオードアレイ部１０７ａ、１０７ｂは、撮影画面の水平方向に対応する方向の並びに配置され、他の２つのフォトダイオードアレイ部１０７ｃ、１０７ｄは、撮影画面の垂直方向に対応する方向の並びに配置されており、一つの測距エリア内で水平及び垂直方向の被写体パターンを検出可能な所謂クロスセンサタイプの構成を有する。
【００１８】
このようなＡＦセンサ１０７の各フォトダイオードアレー部１０７ａ、１０７ｂ、１０７ｃ、１０７ｄは、焦点検出精度を向上させるために例えば図３Ｆの拡大図に示すように構成画素幅の１／２分だけ配置をずらした２ラインのフォトダイオードアレー１０７−１、１０７−２により構成されている。
【００１９】
このように構成された焦点検出光学系１０６であれば、図３Ｇの正面図に示すように撮影レンズ１２６の射出瞳面の互いに異なる各領域１２６ａ、１２６ｂと各領域１２６ｃ、１２６ｄとを通過する焦点検出のための光束が各フォトダイオードアレイ部１０７ａ、１０７ｂ及び１０７ｃ、１０７ｄによりそれぞれ受光される。これにより、各フォトダイオードアレイ部１０７ａ、１０７ｂ及び１０７ｃ、１０７ｄは、それぞれ像の光強度分布パターンを示す電気信号（光強度信号）に変換する。この光強度信号を用いて焦点検出の一方式であるＴＴＬ位相差方式によって焦点検出が行われる。
【００２０】
次に、本カメラの電気的な構成について図４に示すブロック図を参照して説明する。  
交換レンズ部１０１の外部には、当該交換レンズ部１０１の周囲を取り巻くようにリング状になったズーム駆動用回転環１３０とマニュアルフォーカス（ＭＦ）用回転環１３１とが配置されている。撮影者は、ズーム駆動用回転環１３０を交換レンズ部１０１の光軸ｐを中心に回転させることによって、ズームレンズ１０３を光軸ｐ方向に駆動させ、交換レンズ部１０１の焦点距離を変更することが可能である。
【００２１】
ＭＦ用回転環１３１を交換レンズ部１０１の光軸ｐを中心に回転させると、このＭＦ用回転環１３１の回転に連動して、焦点調節レンズ１０２が光軸ｐ方向に駆動する。これにより、交換レンズ部１０１の焦点を手動で調節することが可能である。なお、ＭＦ用回転環１３１は、撮影者がオートフォーカスモードとマニュアルフォーカスモードとを切り替える図示しない切り替えスイッチを操作して、マニュアルフォーカスモードを選択した場合に使用される。
【００２２】
交換レンズ部１０１の内部は、焦点調節レンズ１０２と、ズームレンズ１０３と、絞り１３２と、交換レンズ部１０１の各種制御、例えばレンズ駆動制御、絞り駆動制御、通信制御などを司るレンズＣＰＵ（以下、ＬＣＰＵと称する）１３３とを有する。このうちＬＣＰＵ１３３には、ズーム位置検出回路１３４と、絞り駆動回路１３５と、レンズ駆動回路１３６と、レンズ位置検出回路１３７と、通信回路１３８とが接続されている。
【００２３】
ズーム位置検出回路１３４は、ズーム駆動用回転環１３０によって駆動されたズームレンズ１０３の位置を検出する。ＬＣＰＵ１３３は、ズーム位置検出回路１３４によって検出されたズームレンズ１０３の位置に基づいて交換レンズ部１０１の焦点距離情報を得る。
【００２４】
絞り１３２は、カメラ本体１００内に入射する光の光量を調節するための開口部を形成する。ＬＣＰＵ１３３は、絞り駆動回路１３５を制御することによって絞り１３２の開口部の大きさを変化させ、適切な光量の光をカメラ本体１００内に入射させる。
【００２５】
オートフォーカスモード時、ＬＣＰＵ１３３は、レンズ駆動回路１３６を制御して上記図１に示すように焦点調節レンズ１０２を光軸ｐと同一方向ａに移動駆動する。レンズ駆動回路１３６によって駆動された焦点調節レンズ１０２の位置は、レンズ位置検出回路１３７によって検出される。このレンズ位置検出回路１３７は、例えば、レンズ駆動回路１３６に含まれる駆動用モータの回転量をパルス数に変換して検出するフォトインタラプタ（ＰＩ）回路などを含んで構成されている。このフォトインタラプタ回路は、焦点調節レンズ１０２からの絶対位置がある基準位置からのパルス数で表される。ＬＣＰＵ１３３は、レンズ位置検出回路１３７によって検出されたレンズ位置に基づいて交換レンズ部１０１の焦点状態情報を得る。
【００２６】
ＬＣＰＵ１３３は、絞り駆動量や交換レンズ部１０１のデフォーカス量などの情報を通信回路１３８を介して後に詳述するカメラ本体１００の本体ＣＰＵ１３９やＡＦ／ＡＥＣＰＵ１５１との間でデータ通信する。通信回路１３８の通信接続端子は、交換レンズ部１０１の外部に設けられている。
【００２７】
一方、カメラ本体１００の内部は、カメラ全体の制御を司る本体ＣＰＵ１３９を有する。この本体ＣＰＵ１３９には、ＬＣＰＵ１３３との間で通信回路１３８を介して通信するための通信ライン１４０と、本体ＣＰＵ１３９のプログラムなどを格納するフラッシュＲＯＭ（ＦＲＯＭ）１４１と、本体ＣＰＵ１３９の各種情報を一時格納するＲＡＭ１４２と、画像データを得るために撮像素子１０９を制御する撮像素子制御回路１４３と、図示しないストロボを制御するストロボ制御回路１４４と、メインミラー１０４のアップダウンを制御するミラー制御回路１４５と、フォーカルプレンシャッタ１０８を制御するシャッタ制御回路１４６と、撮像素子制御回路１４３で得られた画像データを画像処理する画像処理回路１４７と、撮影した画像や各種撮影情報を図示しない表示部に表示するための表示回路１４８と、撮影者が操作する各種操作スイッチが接続された操作スイッチ検出回路１４９と、本カメラに電源を供給するための電源回路１５０と、ＡＦ／ＡＥＣＰＵ１５１とが接続されている。
【００２８】
ここで、操作スイッチ検出回路１４９は、本カメラの撮影モードを切り替える図示しない切り替えスイッチ、又はレリーズボタンの操作によって動作するレリーズスイッチなどを有する。本実施の形態におけるレリーズスイッチは、一般的な２段階スイッチである。すなわち、レリーズボタンの半押しで第１のレリーズスイッチ１５２（以下、１Ｒスイッチと称する）がオンし、これにより、焦点検出や測光が行われ、焦点調節レンズ１０２が駆動されて合焦状態になる。更に、レリーズボタンの全押しで第２のレリーズスイッチ１５３（以下、２Ｒスイッチと称する）がオンし、メインミラー１０４とフォーカルプレンシャッタ１０８とが駆動して露光が行われる。
【００２９】
電源回路１５０は、装填された電池１５４の電圧の平滑化や昇圧等を行う。  
ＡＦ／ＡＥＣＰＵ１５１は、本カメラの自動焦点調節（ＡＦ）制御及び測光（ＡＥ）制御を行う。このＡＦ／ＡＥＣＰＵ１５１には、交換レンズ部１０１の通信回路１３８を介して当該ＡＦ／ＡＥＣＰＵ１５１とＬＣＰＵ１３３との間で通信するための通信ライン１５５と、ＡＦ／ＡＥＣＰＵ１５１と本体ＣＰＵ１３９とで通信するための通信ライン１５６と、ＡＦ／ＡＥＣＰＵ１５１のプログラム等が格納されているフラッシュＲＯＭ（ＦＲＯＭ）１５７と、ＡＦ／ＡＥＣＰＵ１５１の各種情報を一時格納するＲＡＭ１５８と、測光回路１５９と、焦点検出回路１６０と、補助光回路１６１とが接続されている。
【００３０】
測光回路１５９は、被写体の輝度を測定する図示しない測光素子を制御して被写体輝度情報を得る。焦点検出回路１６０は、ＡＦセンサ１０７を制御して得られた情報に基づいて焦点検出演算を行い、焦点検出情報を得る。更に、補助光回路１６１は、被写体が低輝度であり、焦点検出回路１６０による焦点検出が不能である場合、再度焦点検出を行う際にＬＥＤなどの発光素子によって被写体に投光する。
【００３１】
本実施の形態に係る自動焦点調節装置を搭載した一眼レフレクスカメラは、操作スイッチ検出回路１４９中にＡＦエリアモード切り替えスイッチを有し、このＡＦエリアモード切り替えスイッチによって第１のＡＦエリアモードである標準ＡＦエリアモードと、第２のＡＦエリアモードである小ＡＦエリアモードとの切り替えを可能とする。  
標準ＡＦエリアモードは、上記図３Ｆに示すように各フォトダイオードアレイ部１０７ａ、１０７ｂ及び１０７ｃ、１０７ｄをそれぞれ構成する２ラインのフォトダイオードアレー１０７−１、１０７−２をＡＦエリアに含むモードである。  
小ＡＦエリアモードは、上記２ラインのフォトダイオードアレー１０７−１、１０７−２のいずれか一方のラインのフォトダイオードアレー１０７−１又は１０７−２のみをＡＦエリアに含むモードであり、一つのＡＦエリアの範囲を標準ＡＦエリアモードのＡＦエリアの範囲よりも狭くするモードである。
【００３２】
標準ＡＦエリアモードと小ＡＦエリアモードとについて図５及び図６を参照して説明する。  
図５Ａ及び図５Ｂは標準ＡＦエリアモードと小ＡＦエリアモードとにおける本実施の形態に係る本カメラのファインダ画面内でのＡＦエリアとＡＦセンサ視野との関係を示すもので、ＡＦエリアを実線、ＡＦセンサ視野を破線で示す。  
図５Ａは標準ＡＦエリアモード時のＡＦエリアとＡＦセンサ視野との関係を示す。この標準ＡＦエリアモードでは、水平方向及び垂直方向の被写体パターンを検出するためのフォトダイオードアレー１０７−１、１０７−２の視野が交差する部分に上記２ラインのフォトダイオードアレー１０７−１、１０７−２を含む形でＡＦエリアが配置されている。この標準ＡＦエリアモードでは、各ＡＦエリアの大きさが所定の標準サイズに形成される。
【００３３】
図５Ｂは小ＡＦエリアモード時のＡＦエリアとＡＦセンサ視野との関係を示す。この小ＡＦエリアモードでは、水平方向及び垂直方向の被写体パターンを検出するためのフォトダイオードアレー１０７−１、１０７−２の視野が交差する部分で上記２ラインのフォトダイオードアレー１０７−１、１０７−２のうちいずれか一方の１ラインが交差しているポイントにＡＦエリアが配置されている。この小ＡＦエリアモードでは、各ＡＦエリアの大きさが標準ＡＦエリアモードよりも小さいＡＦエリアを選択可能とし、かつ標準ＡＦエリアモードよりもＡＦエリア数を多く設定して成る。
【００３４】
図６Ａ及び図６Ｂは標準ＡＦエリアモードと小ＡＦエリアモードとにおける各一つのＡＦエリアにおいて、フォトダイオードアレー１０７−１、１０７−２内で焦点検出に使用される範囲を示す。２ラインのフォトダイオードアレー１０７−１、１０７−２を破線で示し、使用範囲を実線で示す。  
小ＡＦエリアモードは、標準ＡＦエリアモード時のＡＦエリアを４分割した構成である。標準ＡＦエリアモードと小ＡＦエリアモードとの各モードにおいて各ＡＦエリアは、操作スイッチ検出回路１４９の中に有するＡＦエリア選択スイッチをユーザーが操作することにより撮影時に使用するＡＦエリアを任意に設定することが可能である。
【００３５】
図６Ａは標準ＡＦエリアモード時の焦点検出範囲を示す。この標準ＡＦエリアモードでは、一つのＡＦエリア内に水平方向及び垂直方向の被写体パターン検出用としてそれぞれ２つの焦点検出範囲を有する。この標準ＡＦエリアモードは、各ＡＦエリアの大きさが所定の標準サイズである。  
ＡＦ／ＡＥＣＰＵ１５１は、焦点検出回路１６０において各焦点検出範囲で検出される焦点検出情報に基づいて最至近選択や高コントラスト選択等の所定の選択アルゴリズムによって一つのＡＦエリア内での焦点検出情報を決定する。
【００３６】
図６Ｂは小ＡＦエリアモード時の焦点検出範囲を示す。この小ＡＦエリアモードでは、一つのＡＦエリア内に水平方向及び垂直方向の被写体パターン検出用としてそれぞれ一つの焦点検出範囲を有する。ＡＦ／ＡＥＣＰＵ１５１は、焦点検出回路１６０において各焦点検出範囲で検出される焦点検出情報に基づいて最至近選択や高コントラスト選択等の所定の選択アルゴリズムによって一つのＡＦエリア内での焦点検出情報を決定する。  
ＡＦ／ＡＥＣＰＵ１５１は、上記決定された焦点検出情報を通信回路１３８を介してＬＣＰＵ１３３に送信することにより焦点調節を行う。
【００３７】
次に、各ＡＦエリアモードでのＡＦエリアのファインダ画面内での表示方法について説明する。  
図７は本カメラ内部におけるファインダ表示装置の配置の概略的な要部断面図を示す。ファインダ表示装置は、ファインダ画面内にスーパーインポーズ表示を行うための照明部材、例えば複数の発光素子１７０と、これら発光素子１７０から出射される照明光束Ａを所定の方向へ出射する投光レンズ１７１等をファインダ装置のペンタプリズム１７２の上側の空間に配置している。これにより、かかる投光レンズ１７１等の照明部材からの照明光は、ペンタプリズム１７２の所定の面、すなわち斜め上方に向いた傾斜面１７２ａから当該ペンタプリズム１７２の内部へ入射する。なお、メインミラー１０４の反射光路上には、スクリーンマット１１０が配置されると共に、スーパーインポーズ表示部材１７４と、コンデンサレンズ１７３とが配置され、そして、ペンタプリズム１７２が配置されている。
【００３８】
このような構成のファインダ表示装置であれば、発光素子１７０から出射する照明光束Ａは、投光レンズ１７１に入射する。この投光レンズ１７１は、入射した照明光束Ａを所定の方向へと折り曲げてペンタプリズム１７２の所定の面１７２ａへと出射する。このペンタプリズム１７２に入射した照明光束Ａは、ペンタプリズム１７２の内部を透過し、所定の別の面１７２ｂから出射する。そして、照明光束Ａは、コンデンサレンズ１７３を透過し、スーパーインポーズ表示部材１７４上の複数の表示部、すなわちＡＦエリア枠のうちの所定の表示部である所定のＡＦエリア枠に到達し、当該ＡＦエリア枠を照明する。
【００３９】
図８はファインダ表示装置におけるスーパーインポーズ表示部材１７４の外観正面図を示す。  
スーパーインポーズ表示部材１７４は、例えばアクリル等のプラスチック素材等を平板形状に形成して成る。このスーパーインポーズ表示部材１７４の表面上には、その所定の部位に複数、例えば１１箇所の表示部、すなわちＡＦエリア枠１７４−１〜１７４−１１が形成されている。これらＡＦエリア枠１７４−１〜１７４−１１は、ＡＦセンサ１０７の複数のＡＦエリアに対応する。
【００４０】
図９は図８におけるスーパーインポーズ表示部材１７４におけるＡＦエリア枠１７４−１の直線Ｌ上での断面拡大図を示す。このスーパーインポーズ表示部材１７４のスクリーン面上に形成されるＡＦエリア枠１７４−１〜１７４−１１は、スーパーインポーズ表示用に設けられる多数の微細なプリズムにより形成されている。このプリズムに形成される領域をプリズム領域と称する。
【００４１】
スーパーインポーズ表示部材１７４の断面形状は、例えば図９に示すようにそれぞれ一つの稜線を有する三角突起の集合により形成されている。すなわち、スーパーインポーズ表示部材１７４は、ＡＦエリア枠１７４−１〜１７４−１１を形成する。これらＡＦエリア枠１７４−１〜１７４−１１は、例えば一方の斜面１８２ａと、この斜面１８２ａに対向する他方の斜面１８２ｂとを連続して成る多数の微細なプリズムにより形成されている。
【００４２】
なお、スーパーインポーズ表示部材１７４に１１箇所のＡＦエリア枠１７４−１〜１７４−１１が形成されていれば、複数の発光素子１７０は、ＡＦエリア枠１７４−１〜１７４−１１の個数に対応して１１個設けられる。これにより、各発光素子１７０と各ＡＦエリア枠１７４−１〜１７４−１１とは、１対１で対応して設けられる。
【００４３】
このような構成であれば、交換レンズ部１０１を通過した光束Ｂは、メインミラー１０４により上方に反射し、スクリーンマット１１０を透過してスーパーインポーズ表示部材１７４のＡＦエリア枠１７４−１〜１７４−１１にも入射する。この光束Ｂは、ＡＦエリア枠１７４−１〜１７４−１１の各斜面１８２ａ、１８２ｂを連続して成る多数の微細なプリズムの作用により屈折するので、ペンタプリズム１７２の側に対して外れることになる。従って、通常の場合、ＡＦエリア枠１７４−１〜１７４−１１の部分は、その周囲の部分に比べて暗く視認される。
【００４４】
一方、発光素子１７０から出射され、ペンタプリズム１７２の上側の空間に配置された投光レンズ１７１等の照明部材からの照明光束Ａは、スーパーインポーズ表示部材１７４に入射した後、ＡＦエリア枠１７４−１〜１７４−１１のプリズムの一方の斜面１８２ａにおいて全反射する。その後、この斜面１８２ａに対向する他方の斜面１８２ｂに入射し、ここで図９に示すように照明光束Ａ１として全反射して上方に向かう。これにより、照明光束Ａ１は、ペンタプリズム１７２を介して接眼レンズ２４の側へと導かれ、使用者によってファインダ視野像に重畳した形態で視認される。
【００４５】
他方、投光レンズ１７１等の照明部材からの照明光束ＡのうちＡＦエリア枠１７４−１〜１７４−１１のプリズムに入射しない光束は、スクリーンマット１１０を透過した後、照明光束Ａ２としてメインミラー１０４の方向に射出する。これにより、照明光束Ａ２は、ファインダ視野像を観察する使用者に視認されることはない。
【００４６】
このようにＡＦエリア枠１７４−１〜１７４−１１は、それぞれ一方の斜面１８２ａと他方の斜面１８２ｂとを連続して成る多数の微細なプリズムにより形成されるので、ペンタプリズム１７２の上側の空間に配置された投光レンズ１７１等の照明部材からの照明光束Ａを受けて上方へと偏向させる特性を有している。
【００４７】
従って、使用者の眼球と各ＡＦエリア枠１７４−１〜１７４−１１を介して投光レンズ１７１等の照明部材に至る光路上に光源となる発光素子１７０を配置するので、ＡＦエリア枠１７４−１〜１７４−１１は、発光素子１７０から出射する照明光束Ａの作用によって使用者は当該ＡＦエリア枠１７４−１〜１７４−１１を点灯状態で視認することができる。
【００４８】
このようなファインダ表示装置であれば、発光素子１７０として例えば赤色の発光ダイオード（ＬＥＤ）を用いた場合、各ＡＦエリア枠１７４−１〜１７４−１１のうちいずれかのＡＦエリア枠、例えばＡＦエリア枠１７４−１の位置が使用者によって選択されたときに、当該ＡＦエリア枠に対応する発光素子１７０を点灯させると、通常の場合には黒く視認されるＡＦエリア枠が発光素子１７０の点灯と同時に赤色でファインダ視野像に重畳して表示される。使用者は、赤色で表示されたＡＦエリア枠１７４−１等を視認することにより、本カメラの使用中におけるファインダ視野内の選択したＡＦエリアの位置を赤色表示によって確認することができる。
【００４９】
なお、ＡＦエリア枠１７４−１〜１７４−１１は、エリア枠全周に亘って一方の斜面１８２ａと他方の斜面１８２ｂとから成る多数の微細なプリズムにより形成されるのに限らず、例えば図１０に示すように当該プリズム領域が四隅の部分と、これら四隅部分の各間の部分とで分離された構成にしてもよい。
【００５０】
本カメラのＡＦエリアモードが標準ＡＦエリアモードである場合、各ＡＦエリア枠１７４−１〜１７４−１１のうち１つのＡＦエリア枠内の全てのプリズム領域に対応する１つの発光素子１７０を発光させる。これにより、例えば図１１Ａに示すように選択されている標準ＡＦエリアとしてＡＦエリア枠１７４−１のエリア枠全体が使用者により視認できる。
【００５１】
本カメラのＡＦエリアモードが小ＡＦエリアモードである場合、１つのＡＦエリア枠、例えばＡＦエリア枠１７４−１内の四隅のプリズム領域の何れか一つに対応する発光素子１７０を発光させる。これにより、例えば図１１Ｂに示すように選択されている小ＡＦエリアが使用者に視認できる。  
なお、図１１Ｂはスーパーインポーズ表示部材１７４における画面内の上段左側の標準ＡＦエリア内のさらに左上部の小ＡＦエリアが選択されている場合の例を示す。この場合、上記図１０に示す複数のプリズム領域中の領域Ｐｅに対応する発光素子１７０を発光させて照明を行う。  
又、上記の説明では、スーパーインポーズ表示によるＡＦエリアの表示方法について説明したが、透過型液晶等を用いた他の方法で表示を行ってもよい。
【００５２】
次に、各ＡＦエリアモードでのＡＦエリアの選択方法について説明する。  
図１２は本カメラの背面図を示す。本カメラの背面には、電源スイッチや各種動作や設定等を行うためのボタンやダイヤル類と共に、十字ボタン１９０と、ＡＦエリアモード切替ボタン１９１とが備えられている。十字ボタン１９０は、使用者の操作を受けて各種設定や使用するＡＦエリアを変更する。ＡＦエリアモード切替ボタン１９１は、使用者の操作を受けてＡＦエリアモードを変更する。
【００５３】
本カメラは、撮影待機時に十字ボタン１９０を操作することによりＡＦエリアの選択が可能で、かつＡＦエリアモード切替ボタン１９１を一回押す毎に標準ＡＦエリアモードと小ＡＦエリアモードとを交互に切り替える機能を有する。  
例えば、図１３の画面「Ａ」に示すように標準ＡＦエリアモード時で、当該画面「Ａ」中の上段左側のＡＦエリア１７４−１が選択されている状態に、十字ボタン１９０の右ボタンを押すと、選択ＡＦエリアが画面「Ｂ」に示すように上段中央のＡＦエリア１７４−２に移動する。次に、十字ボタン１９０の下ボタンを押すと、選択ＡＦエリアが画面「Ｃ」に示すように中段中央のＡＦエリア１７４−６に移動する。
【００５４】
一方、図１４の画面「Ａ」に示すように小ＡＦエリアモード時で、当該画面「Ａ」中の上段左のＡＦエリア１７４−１の左上が選択されている状態に、十字ボタン１９０の右ボタンを押すと、画面「Ｂ」に示すように選択ＡＦエリアが上段左のＡＦエリア１７４−１の右上に移動する。  
再度、十字ボタン１９０の右ボタンを押すと、画面「Ｃ」に示すように選択ＡＦエリアが上段中央のＡＦエリア１７４−２の左上に移動する。次に、十字ボタン１９０の下ボタンを押すと、画面「Ｄ」に示すように選択ＡＦエリアが上段中央のＡＦエリア１７４−２の左下に移動する。  
なお、上記例では、ＡＦエリアの変更に十字ボタン１９０を使用しているが、これに限らず、ダイヤル等の他の手段によりＡＦエリアの変更を行ってもよい。
【００５５】
さらに、ＡＦエリア選択中にＡＦエリアモード切替ボタン１９１を操作すると、ＡＦエリアモードの切替えを行うことが可能である。例えば、図１５に示すように標準ＡＦエリアモード時で、画面「Ａ」に示すように上段左側のＡＦエリア１７４−１が選択されている状態に、十字ボタン１９０の右ボタンを押すと、選択ＡＦエリアが画面「Ｂ」に示すように上段中央のＡＦエリア１７４−２に移動する。この状態でＡＦエリアモード切替ボタン１９１を押すと、ＡＦエリアモードが小ＡＦエリアモードに切り替わり、画面「Ｃ」に示すように上段中央のＡＦエリア１７４−２の左上が選択される。
【００５６】
次に、十字ボタン１９０の下ボタンを２回押すと、選択ＡＦエリアは、先ず、画面「Ｄ」に示すように上段中央のＡＦエリア１７４−２の左下に移動し、次に、画面「Ｅ」に示すように中段中央のＡＦエリア１７４−６の左上の順に移動する。  
この状態で、ＡＦエリアモード切替ボタン１９１を押すと、ＡＦエリアモードが標準ＡＦエリアモードに切り替わる。これにより、画面「Ｆ」に示すように中段中央のＡＦエリア１７４−６が選択される。
【００５７】
上記例では、ＡＦエリアモード切替ボタン１９１により標準ＡＦエリアモードから小ＡＦエリアモードに切替えた場合、それまで選択されていた標準ＡＦエリア内の左上の小ＡＦエリアが選択されるようにしているが、必ずしも左上の小ＡＦエリアが選択される必要はなく他の小ＡＦエリアが選択されるようにしてもよい。また、使用者が選択されるＡＦエリアモード切り替え時に選択される小ＡＦエリアの初期位置を任意に設定しておけるようにしてもよい。
【００５８】
このように上記第１の実施の形態によれば、各ＡＦエリアの大きさが所定の標準サイズである標準ＡＦエリアモードと、各ＡＦエリアの大きさが標準ＡＦエリアモードよりも小さい小ＡＦエリアモードとを選択可能とし、かつ小ＡＦエリアモードは、標準ＡＦエリアモードよりもＡＦエリア数を多く設定して成るので、ＡＦエリアモードを切替えることで多様なＡＦエリアの選択を行うことができ、フレーミング自由度を大きくできる。例えば、人物を撮影する際に被写体の鼻部位ではなく目部位にピントを合わせたい場合でも、ＡＦエリアモードを切替えることで多様なＡＦエリアが選択できるので、目部位の位置にピントを合わせることが可能なＡＦエリアを選択でき、撮像する構図を変更することなく、選択対象となるＡＦエリアの大きさの都合により撮像する構図を決定するときのフレーミングに制限が生じることがない。
【００５９】
次に、本発明の第２の実施の形態について図面を参照して説明する。  
図１６Ａ及び図１６Ｂは、標準ＡＦエリアモードと小ＡＦエリアモードとにおける本カメラのファインダ画面内でのＡＦエリアとＡＦセンサ視野との関係を示すもので、図１６Ａは標準ＡＦエリアモード時のＡＦエリアとＡＦセンサ視野との関係を示し、図１６Ｂは小ＡＦエリアモード時のＡＦエリアとＡＦセンサ視野との関係を示す。なお、選択可能なＡＦエリアを実線で示し、補助的なＡＦエリアとしてのアシストＡＦエリアを細実線で示し、ＡＦセンサ視野を破線で示す。
【００６０】
選択可能ＡＦエリアは、水平及び垂直方向の被写体パターンを検出するための上記図３Ｆに示すフォトダイオードアレー１０７−１、１０７−２の視野が交差する部分に２ラインのフォトダイオードアレー１０７−１、１０７−２を含む形で配置されている。  
アシストＡＦエリアは、各選択可能ＡＦエリアの周辺部の水平又は垂直方向の被写体パターンのいずれか一方を検出するためのフォトダイオードアレー１０７−１、１０７−２の視野部分に配置されている。
【００６１】
標準ＡＦエリアモードにおいて選択可能ＡＦエリアは、使用者が任意に選択可能である。これに対してアシストＡＦエリアは、使用者が任意に選択することが不可能である。このアシストＡＦエリアは、例えば、選択されたＡＦエリアでの焦点検出ができない場合、補助的に焦点検出を行うような用途や、本カメラが自動的にピント調節に使用するＡＦエリアを選択する自動選択モード時に用いられる。
【００６２】
図１６Ｂは小ＡＦエリアモード時のＡＦエリアとＡＦセンサ視野との関係を示しており、クロスＡＦエリアを実線、ラインＡＦエリアを細実線、ＡＦセンサ視野を破線で示す。このうちクロスＡＦエリアは、選択可能である。ラインＡＦエリアも、選択可能である。  
クロスＡＦエリアは、水平及び垂直方向の被写体パターンを検出するためのフォトダイオードアレー１０７−１、１０７−２の視野が交差する部分で２ラインのフォトダイオードアレー１０７−１、１０７−２のうち１ラインが交差しているポイントに配置されている。  
ラインＡＦエリアは、各クロスＡＦエリアの周辺部の水平又は垂直方向の被写体パターンのいずれか一方を検出するためのフォトダイオードアレー１０７−１、１０７−２の視野の１ライン部分に配置されている。
【００６３】
クロスＡＦエリアは、標準ＡＦエリアモード時の選択可能ＡＦエリアに対応し、当該ＡＦエリアを４分割した構成となっている。又、ラインＡＦエリアは、標準ＡＦエリアモード時のアシストＡＦエリアに対応し、当該アシストＡＦエリアを２分割した構成となっている。小ＡＦエリアモードにおいて、クロスＡＦエリア、ラインＡＦエリアは、共に使用者が選択可能なＡＦエリアである。
【００６４】
本実施の形態において、カメラの構成、ＡＦエリアの表示方法や選択方法等は、基本的に上記第１の実施の形態と同様であるので、ここでの説明は省略する。
【００６５】
以上、二つの実施形態に基づいて本発明を説明したが、本発明は上述した実施形態に限定されるものではなく、ＡＦエリア数や配置、ＡＦエリアの分割方法、ＡＦエリアの表示や選択方法等、本発明の要旨の範囲内で種々の変形や応用が可能なことは勿論である。
【００６６】
又、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６７】
【図１】本発明に係る自動焦点調節装置の第１の実施の形態を搭載した一眼レフレックスカメラの概略構成図。
【図２】同カメラにおけるファインダ内に表示されるＡＦエリアの一例を示す概略図。
【図３Ａ】同カメラにおける焦点検出光学系の一例を示す構成図。
【図３Ｂ】同焦点検出光学系における視野マスクに形成された開口部を示す正面図。
【図３Ｃ】同焦点検出光学系におけるセパレータ絞りマスクを示す正面図。
【図３Ｄ】同焦点検出光学系におけるセパレータレンズを示す正面図。
【図３Ｅ】同焦点検出光学系における４つフォトダイオードアレイ部から成るＡＦセンサを示す正面図。
【図３Ｆ】同焦点検出光学系における４つフォトダイオードアレイ部を構成する２ラインのフォトダイオードアレーを示す図。
【図３Ｇ】同焦点検出光学系における撮影レンズの射出瞳面の互いに異なる各領域を通過する焦点検出のための光束を示す正面図。
【図４】同カメラの電気的な構成を示すブロック図。
【図５Ａ】同カメラにおけるファインダ画面内での標準ＡＦエリアモード時のＡＦセンサ視野とＡＦエリア表示の関係を示す図。
【図５Ｂ】同カメラにおけるファインダ画面内での小ＡＦエリアモード時のＡＦセンサ視野とＡＦエリア表示の関係を示す図。
【図６Ａ】同カメラにおける標準ＡＦエリアモード時のＡＦセンサ上に実際に設定される焦点検出エリアを示す図。
【図６Ｂ】同カメラにおける小ＡＦエリアモード時のＡＦセンサ上に実際に設定される焦点検出エリアを示す図。
【図７】同カメラ内部におけるスーパーインポーズ表示を行うためのファインダ表示装置の配置を示す概略的な要部断面図。
【図８】同ファインダ表示装置におけるスーパーインポーズ表示部材を示す外観正面図。
【図９】同ファインダ表示装置におけるスーパーインポーズ表示部材の断面拡大図。
【図１０】同ファインダ表示装置におけるスーパーインポーズ表示部材の他の構成例を示す図。
【図１１Ａ】同ファインダ表示装置においてＡＦエリア選択時の標準ＡＦエリアモードでのＡＦエリア選択時のスーパーインポーズ表示を示す図。
【図１１Ｂ】同ファインダ表示装置においてＡＦエリア選択時の小ＡＦエリアモードでのＡＦエリア選択時のスーパーインポーズ表示を示す図。
【図１２】同カメラを示す背面図。
【図１３】同カメラにおける標準ＡＦエリアモードでのＡＦエリア選択例を示す図。
【図１４】同カメラにおける小ＡＦエリアモードでのＡＦエリア選択例を示す図。
【図１５】同カメラにおけるＡＦエリア選択中にＡＦエリアモード変更を行った場合のスーパーインポーズ表示例を示す図。
【図１６Ａ】本発明に係る自動焦点調節装置の第２の実施の形態を搭載した一眼レフレックスカメラにおけるアシストＡＦエリアがある場合のファインダ画面内での標準ＡＦエリアモード時のＡＦセンサ視野とＡＦエリア表示の関係を示す図。
【図１６Ｂ】同カメラにおける小ＡＦエリアモード時のＡＦセンサ視野と選択可能ＡＦエリア表示の関係を示す図。
【符号の説明】
【００６８】
１００：カメラ本体、１０１：交換レンズ部、１０２：焦点調節レンズ、１０３：ズームレンズ、１０４：メインミラー、１０５：サブミラー、１０６：焦点検出光学系、１０７：焦点検出センサ（ＡＦセンサ）、１０８：フォーカルプレンシャッタ、１０９：撮像素子、１１０：スクリーンマット、１１１：ファインダ光学系、１１２：接眼レンズ、１１３：ＡＦエリアマーク、１２０：視野マスク、１２１：コンデンサレンズ、１２２：全反射ミラー、１２３：赤外カットフィルタ、１２４：セパレータ絞りマスク、１２５：セパレータレンズ、１２６：撮影レンズ、１２９：一次結像面、１２７：視野マスクの開口部、１２４ａ，１２４ｂ，１２４ｃ，１２４ｄ：マスクの開口部、１２５ａ，１２５ｂ，１２５ｃ，１２５ｄ：セパレータレンズ、１０７ａ，１０７ｂ，１０７ｃ，１０７ｄ：フォトダイオードアレイ部、１０７−１，１０７−２：フォトダイオードアレー、１２６ａ，１２６ｂ，１２６ｃ，１２６ｄ：撮影レンズの射出瞳面の互いに異なる各領域、１２８ａ，１２８ｂ，１２８ｃ，１２８ｄ：フォトダイオードアレイ部、１３０：ズーム駆動用回転環、１３１：マニュアルフォーカス（ＭＦ）用回転環、１３２：絞り、１３３：レンズＣＰＵ（ＬＣＰＵ）、１３４：ズーム位置検出回路、１３５：絞り駆動回路、１３６：レンズ駆動回路、１３７：レンズ位置検出回路、１３８：通信回路、１３９：本体ＣＰＵ、１５１：ＡＦ／ＡＥＣＰＵ、１４０：通信ライン、１４１：フラッシュＲＯＭ（ＦＲＯＭ）、１４２：ＲＡＭ、１４３：撮像素子制御回路、１４４：ストロボ制御回路、１４５：ミラー制御回路、１４６：シャッタ制御回路、１４７：画像処理回路、１４８：表示回路、１４９：操作スイッチ検出回路、１５０：電源回路、１５１：ＡＦ／ＡＥＣＰＵ、１５２：第１のレリーズスイッチ（１Ｒスイッチ）、１５３：第２のレリーズスイッチ（２Ｒスイッチ）、１５４：電池、１５５：通信ライン、１５６：通信ライン、１５７：フラッシュＲＯＭ（ＦＲＯＭ）、１５８：ＲＡＭ、１５９：測光回路、１６０：焦点検出回路、１６１：補助光回路、１７０：発光素子、１７１：投光レンズ、１７２：ペンタプリズム、１７２ａ：ペンタプリズムの傾斜面、１７４：スーパーインポーズ表示部材、１７３：コンデンサレンズ、１７２ｂ：ペンタプリズムの別の面、１７４−１〜１７４−１１：ＡＦエリア枠、１８０，１８１：表示部材、１８２ａ：ＡＦエリア枠の一方の斜面、１８２ｂ：ＡＦエリア枠の他方の斜面、１９０：十字ボタン、１９１：ＡＦエリアモード切替ボタン。
【図１】
2010134277.tif 000003
【図２】
2010134277.tif 000004
【図３Ａ】
2010134277.tif 000005
【図３Ｂ】
2010134277.tif 000006
【図３Ｃ】
2010134277.tif 000007
【図３Ｄ】
2010134277.tif 000008
【図３Ｅ】
2010134277.tif 000009
【図３Ｆ】
2010134277.tif 000010
【図３Ｇ】
2010134277.tif 000011
【図４】
2010134277.tif 000012
【図５Ａ】
2010134277.tif 000013
【図５Ｂ】
2010134277.tif 000014
【図６Ａ】
2010134277.tif 000015
【図６Ｂ】
2010134277.tif 000016
【図７】
2010134277.tif 000017
【図８】
2010134277.tif 000018
【図９】
2010134277.tif 000019
【図１０】
2010134277.tif 000020
【図１１Ａ】
2010134277.tif 000021
【図１１Ｂ】
2010134277.tif 000022
【図１２】
2010134277.tif 000023
【図１３】
2010134277.tif 000024
【図１４】
2010134277.tif 000025
【図１５】
2010134277.tif 000026
【図１６Ａ】
2010134277.tif 000027
【図１６Ｂ】
2010134277.tif 000028